(57)【要約】【課題】１枚だけで使用できる独立した間仕切りとしても，また接合した状態でも使用でき，接合したときに極めて高度の密封状態を得ることの出来る縦枠を備えた間仕切りであって，しかも独立して用いても，接合状態で用いても，高度の美的センスを満足させる間仕切りの提供。【解決手段】左右の縦枠と上記縦枠をつなぐ複数の横枠と，上記横枠の間の上下の空間に装着されるボードとからなる間仕切りであって，上記縦枠が，水平断面において略矢じり形状をしてなる間仕切りであり，実施例として上記縦枠が，前記横枠と接する縦枠本体と，上記縦枠本体に接合される中間部材と，上記中間部材の先端に接合される縦ビード部材とからなり，上記縦枠本体と，中間部材と，縦ビード部材とを組み合わせたときの水平断面が，前記略矢じり形状である間仕切りを含む。【選択図】図１
2007197907.tif 000002
【特許請求の範囲】
【請求項１】
左右の縦枠と上記縦枠をつなぐ複数の横枠と，上記横枠の間の上下の空間に装着されるボードとからなる間仕切りであって，
上記縦枠が，水平断面において略矢じり形状をしてなることを特徴とする間仕切り。
【請求項２】
上記縦枠が，前記横枠と接する縦枠本体と，上記縦枠本体に接合される中間部材と，上記中間部材の先端に接合される縦ビード部材とからなり，上記縦枠本体と，中間部材と，縦ビード部材とを組み合わせたときの水平断面が，前記略矢じり形状である請求項１記載の間仕切り。
【請求項３】
上記中間部材及び／或いは上記縦ビード部材が，弾性部材により構成されてなる請求項２記載の間仕切り。
【請求項４】
当該間仕切りが，間仕切り壁，パーティション，パネル，机上パネルのいずれかからなる請求項１〜３のいずれかに記載の間仕切り。
【発明の詳細な説明】
【技術分野】
【０００１】
本発明は，間仕切り（パーティション,パネルを含む）の改良にかかり，特に，複数の間仕切りを接合させたときの密封度を高めることの出来る間仕切りに関するものである。
【背景技術】
【０００２】
従来の間仕切りとしての典型例は，例えば意匠文献１が知られている。図１はこのような従来の間仕切りの斜視図である。
このような従来の間仕切りは，図示のごとく端面が単純な矩形に形成され，製造するには便利な形状であった。しかしながら，このような矩形状の間仕切りでは，２以上の間仕切りを一枚の壁のように並べて繋いだときに，両壁の接合面が完全に密接しないために，接合部分から光が漏れるなど僅かな隙間が生じ，気になるものであった。これは互いに接合される端面が共に平面であるため，一見密接に接合されるように見えるが，実際には端面を完全な平面に構成することが難しく，また，たとえ平面に形成されたとしても，両端面を大きい力で圧接しないと幾分かの隙間が生じてしまうからである。
そのため，従来の間仕切りでは，例えば意匠文献２のように２つの間仕切りが接合される端面部材を２つの間仕切りで共通に使うような縦枠を用い，これにより接合される２つの間仕切り間の隙間を完全になくす試みがなされている。図２はこのような縦枠の斜視図であり，図３はこのような縦枠の使用状態を示す断面図である。これらの図から，１つの間仕切り縦枠が１つの間仕切りに兼用されることによって，２つの間仕切り間の隙間が解消されていることが分かる。  
【特許文献１】意匠登録第１１９０５９５号公報
【特許文献２】意匠登録第１１５４７４６号公報
【発明の開示】
【発明が解決しようとする課題】
【０００３】
しかしながら，上記意匠文献２に記載の従来の間仕切りでは，２つの間仕切りに１つの縦枠を兼用するという特殊な構造を採用しているため，あらかじめ間仕切りを接合状態で使用することが分かっている場合には都合がよいが，部屋の間仕切りのレイアウトを変更しようとすると，たちまち上記兼用タイプの縦枠が余ったり，或いは足りなくなってしまうという不都合なものであった。そのため上記兼用タイプの縦枠以外に，別個兼用でない縦枠を常備しなければならなくなり，結果的にコスト高の原因となるものであった。また上記のような特殊構造の縦枠を備えた間仕切りでは，見栄えも悪く近代的な室内空間を間仕切る部材としては商品価値の落ちるものであった。
【０００４】
本発明は上記した課題の解決を目的としてなされたものであり，１枚だけで使用できる独立した間仕切りとしても，また接合した状態でも使用でき，接合したときに極めて高度の密封状態を得ることの出来る縦枠を備えた間仕切りであって，しかも独立して用いても，接合状態で用いても，高度の美的センスを満足させる間仕切りの提供を目的とするものである。
【０００５】
上記課題を解決するため，本発明は，
左右の縦枠と上記縦枠をつなぐ複数の横枠と，上記横枠の間の上下の空間に装着されるボードとからなる間仕切りであって，
上記縦枠が，水平断面において略矢じり形状をなし，且つ矢じりの先端が弾性部材により構成されてなることを特徴とする間仕切りである。
従来の間仕切りのように矩形状の端面を持つものでは，平面同士が当接するため，たとえ当接面を弾性部材により構成しても，間仕切りの当接面は縦長であるため，なかなか高度の密接した面接触を得ることが出来ず，どうしても接触面間に僅かな隙間が生じて，ここから光が漏れるなどの不都合を生じていた。この点，上記した本発明に係る間仕切りでは，２枚の間仕切りを接合して間仕切るとき，上記弾性部材からなる矢じりの先端同士を付き合わせることになるが，付き合わされる弾性部分が上記のように矢じり状に尖っているので，少ない力で互いに変形して密接し合い，高度の密封状態を得ることが出来るのである。
更に上記縦枠の構造としては，前記横枠と接する縦枠本体と，上記縦枠本体に接合される中間部材と，上記中間部材の先端に接合される縦ビード部材とからなり，上記縦枠本体と，中間部材と，縦ビード部材とを組み合わせたときの水平断面が，前記略矢じり形状であるようにすることで，縦枠が簡単に組み立てられ或いは逆に簡単に分解されるので，間仕切りとして組み立てるときには縦枠本体と中間部材とをねじ止めした後，簡単に縦枠本体を組み立てることが出来，また分解することも極めて簡単となる。
【０００６】
以下，図４以降の図面を参照して本発明を具体化した実施形態について説明し，本発明の理解に供する。
【０００７】
図４に示すようにこの実施形態に掛かる間仕切り１は正面から見ると従来の間仕切りと同様，左右の縦枠２，２と該縦枠２，２をつなぐ複数の横枠３ａ，３ｂ，３ｂ，３ｂ，３ｃと，上記横枠の間の上下の空間に装着されるボード４，４，４，４とからなる間仕切りである。ここに横枠は，最上部の３ａと最下部の３ｃと，その中間の３本の横枠３ｂ，３ｂ，３ｂから構成されている。
この間仕切りの特徴は図６及び図１１に表される。ここに図６（ａ）は，図４におけるＢ−Ｂ断面図，図６（ｂ）は，同Ｃ−Ｃ断面図，図６（ｃ）は，同上面図である。
【０００８】
すなわち，この実施形態における上記縦枠は，図６各図に示すように，水平断面において略矢じり形状という特異な形状をしている。詳細には，図１１の分解断面図に示すように，縦枠２は，前記横枠と接する縦枠本体２ａと，上記縦枠本体２ａに接合される中間部材２ｂと，上記中間部材２ｂの先端溝２ｄに接合される縦ビード部材２ｃとからなり，上記縦枠本体２ａと，中間部材２ｂと，縦ビード部材２ｃとを組み合わせたときの水平断面が，図６（ａ）に示すように略矢じり形状となっているのである。
そして上記矢じりの先端の角度αは，一例として略９０°に設定される。これにより，後述のように４枚の間仕切りを上から見て十字状に設置した場合（図１２参照），４枚の間仕切りの接合部が完全に密接し光の漏れがなく，しかも曲線的に接合されるので，極めて美的な間仕切り空間を創造することが出来る。
【０００９】
上記縦枠本体２ａ，中間部材２ｂ及び縦ビード部材２ｃはいずれも図１１の紙面に直角の方向に長い型材により構成され，上記縦枠本体２ａはアルミニュームの引き抜きにより成型される。また中間部材２ｂはアルミニュームにより構成されても，あるいは合成ゴムのような弾性部材により構成されてもよい。縦ビード部材２ｃは合成ゴムの押し出しにより成型されるものである。もちろんこれらは実施形態の一例であり，その成型方法や材質は上記に限定されない。
そして，上記縦枠２は，図１１に示す縦枠本体２ａの先端部２ｅ，２ｅを中間部材２ｂの後端溝部２ｆ，２ｆに挿入することにより中間部材２ｂと一体に組み立てられ，更に縦ビード部材２ｃの後端部２ｇを中間部材２ｂの前記先端溝２ｄに挿入することにより，中間部材２ｂに対して縦ビード部材２ｃが一体的に組みつけられる。
【００１０】
この実施形態に係る間仕切り１は上記したように構成されているので，複数の間仕切り１，１を直線的に連ねて設置したときに，隣り合う間仕切り１，１が密接して設置されるので，その間に隙間が生じる不都合が完全に回避される。
例えば，図１２は，４枚の間仕切り１ａ，１ｂ，１ｃ，１ｄをその矢じり状の先端部を十字状の交差部として接合させたものを上からみたものであるが，矢じり状の部分が上から見て略９０°の角度に設定されているので，力をかけずに設置しただけで４枚の間仕切りの先端部が密接に重なり合い，光が漏れるような不都合がない。また，曲線が交差する美しい間仕切りが実現される。
図１２では４枚の間仕切りを設置した場合を示しているが，そのうちの１枚を除いて，Ｔ字状に設置しても，間仕切り先端部の密接度合いは完全である。
さらに，上記図１２の十字状の配置から２枚の間仕切り１ｃ，１ｄを除いてＬ字状に配置しても，前記した隣り合う中間部材２ｂ同士，及び縦ビード部材２ｃ同士が密接の接触するので，高度の密封度を維持できる。この場合，中間部材２ｂが合成ゴムなどの弾性部材で構成されていれば，その部分が中空となっていることで柔軟に撓むことが出来，隣り合う間仕切り間の密接度は更に向上する。
図１２では十字状に配置した場合が描かれて，中間部材２，２間に僅かな隙間が描かれているが，上記Ｌ字状の配置の場合には，上記僅かな隙間のない様に間仕切りが配置されることは当然である。
【００１１】
また図１２の状態から，間仕切り１ｂ及び１ｄを取り除いて横１列に配置する場合にも前記縦ビード部材２ｃが上から見て矢じりの先端のように尖っていると共にそれ自身柔軟な合成ゴムなどの弾性部材で構成されているので，先端同士をつき合わしても互いの先端が柔軟にたわんで接触するので，平面同士を接合する従来の間仕切りよりも小さい力で完璧な密接度を確保することが出来る。
なお，この実施形態では縦ビード部材２ｃが上から見て矢じりの先端のように尖っているので，２つの間仕切りを同心に設置して先端同士をつき合わせるのでなく，軸を僅かにずらせて互い違いに設置し，先端を交差させることで，一方の間仕切りの縦ビード部材２ｃの側面２ｈと相手の間仕切りの縦ビード部材２ｃの側面２ｈ或いは中間部材２ｂの側面２ｉを接触させることも出来，これによっても極めて良好な密接度を得ることが出来る。
【００１２】
上記実施形態については種々の変形例としての実施例が考えられる。
例えば，前記ボード４は樹脂であっても，天然素材であっても良く，透明或いは非透明，更には半透明など，種々の変形が可能である。
更に図８〜１０に示したように，自立できるように足部材５を設けたものも本発明の範囲である。
当該間仕切りは，上記実施形態のような間仕切り壁，パーティションであってもよいが，さらにパネル，机上パネルのようなものであってもよい。
【００１３】
以上の説明より明らかなように，本発明は，左右の縦枠と上記縦枠をつなぐ複数の横枠と，上記横枠の間の上下の空間に装着されるボードとからなる間仕切りであって，上記縦枠が，水平断面において略矢じり形状をなし，且つ矢じりの先端が弾性部材により構成されてなることを特徴とする間仕切りである。
従来の間仕切りのように矩形状の端面を持つものでは，平面同士が当接するため，たとえ当接面を弾性部材により構成しても，間仕切りの当接面は縦長であるため，なかなか高度の密接した面接触を得ることが出来ず，どうしても接触面間に僅かな隙間が生じて，ここから光が漏れるなどの不都合を生じていた。この点，上記した本発明に係る間仕切りでは，２枚の間仕切りを接合して間仕切るとき，上記弾性部材からなる矢じりの先端同士を付き合わせることになるが，付き合わされる弾性部分が上記のように矢じり状に尖っているので，少ない力で互いに変形して密接し合い，高度の密封状態を得ることが出来るのである。
【００１４】
更に上記縦枠の構造としては，前記横枠と接する縦枠本体と，上記縦枠本体に接合される中間部材と，上記中間部材の先端に接合される縦ビード部材とからなり，上記縦枠本体と，中間部材と，縦ビード部材とを組み合わせたときの水平断面が，前記略矢じり形状であるようにすることで，縦枠が簡単に組み立てられ，或いは逆に簡単に分解されるので，間仕切りとして組み立てるときには縦枠本体と中間部材とをねじ止めした後，簡単に縦枠本体を組み立てることが出来，また分解することも極めて簡単となる。
この場合，中間部材については，アルミニューム製とすることも出来るが，これを中空の合繊ゴムなどの弾性部材で構成すれば，互いの中間部材を柔軟に接触すさせて配置することができ，隣接した間仕切り同士のメッセ都度を著しく向上させることが出来る。
【図面の簡単な説明】
【００１５】
【図１】従来技術に係る間仕切りの斜視図。
【図２】従来技術に係る間仕切り部材の斜視図。
【図３】図２に示した従来の間仕切り部材の使用状態を示す断面図。
【図４】本発明の実施形態に係る間仕切りの正面図。
【図５】本発明の実施形態に係る間仕切りの側面図。
【図６】図１に示した実施形態に係る間仕切りの中間水平断面図などの図。
【図７】図１に示した実施形態に係る間仕切りの中間縦断面図などの図。
【図８】本発明の実施例に係る間仕切りの正面図。
【図９】本発明の実施例に係る間仕切りの平面図。
【図１０】本発明の実施例に係る間仕切りの側面図。
【図１１】本発明の実施形態に係る間仕切りを構成する縦枠の水平断面図。
【図１２】本発明の実施形態に係る間仕切りの設置状態を示す平面図。
【図１３】本発明の実施形態に係る間仕切りを構成する中間部材の縦断面図。
【符号の説明】
【００１６】
１…間仕切り
２…縦枠
２ａ…縦枠本体
２ｂ…中間部材
２ｃ…縦ビード部材
３…横枠
４…ボード
５…足部材
【図１】
2007197907.tif 000003
【図２】
2007197907.tif 000004
【図３】
2007197907.tif 000005
【図４】
2007197907.tif 000006
【図５】
2007197907.tif 000007
【図６】
2007197907.tif 000008
【図７】
2007197907.tif 000009
【図８】
2007197907.tif 000010
【図９】
2007197907.tif 000011
【図１０】
2007197907.tif 000012
【図１１】
2007197907.tif 000013
【図１２】
2007197907.tif 000014
【図１３】
2007197907.tif 000015